(57)【特許請求の範囲】
【請求項１】
所定間隔で重なり合う状態で配置され、かつ対向面それぞれに電極が設けられた複数の基板と、
前記複数の基板のいずれかに対して固定される本体部、および前記本体部に設けられ、かつ前記複数の基板間に配置されて前記電極それぞれに接触する複数の接触部を備えた接続部材と、
前記接続部材の前記本体部に接触した状態で、電源に接続された導電部材と、
前記複数の基板および前記接続部材の前記本体部を相互に固定するねじ部材と、
を備え、
前記複数の基板は、第１の基板と第２の基板とを備え、前記第１の基板と前記第２の基板との間にはスペーサ部材が配置され、前記スペーサ部材には前記複数の接触部が配置される開口部が設けられ、前記開口部に対応する箇所に位置する前記第１の基板と前記第２の基板との対向面それぞれには前記電極が設けられ、
前記接続部材の前記本体部は、前記スペーサ部材に配置される本体取付部と、前記本体取付部から前記第２の基板と前記第１の基板との間に向けて延びる延出部と、前記延出部から前記第１の基板と前記第２の基板との間にこれらとほぼ平行に延び、かつ前記複数の接触部が設けられた保持部と、を備え、
前記第２の基板の下面に配置された前記導電部材と前記本体取付部とを重ねた状態で、前記ねじ部材により共締めされ固定されていることを特徴とする接続装置。
【請求項２】
請求項１に記載の接続装置において、前記延出部は、前記スペーサ部材の外周部に設けられた突起部の内側面に沿って配置され、前記本体取付部は、前記突起部の下面に配置された際に、前記本体取付部の下面が前記第２の基板の下面とほぼ同一平面になることを特徴とする接続装置。
【請求項３】
請求項１または請求項２に記載の接続装置において、前記複数の接触部は、前記本体部の前記保持部に設けられて、前記スペーサ部材の上面に位置する前記第１の基板の下面に設けられた第１の電極に弾接する第１の接触部と、前記本体部の前記保持部に設けられて、前記スペーサ部材の下面に位置する前記第２の基板の上面に設けられた第２の電極に弾接する第２の接触部と、を備えていることを特徴とする接続装置。
【請求項４】
請求項３に記載の接続装置において、前記第１の接触部は、前記本体部の前記保持部における一側部から上方に形成し、前記第２の接触部は、前記本体部の前記保持部における前記一側部から下方に形成されていることを特徴とする接続装置。
【請求項５】
請求項１〜請求項４のいずれかに記載の接続装置において、前記ねじ部材は、電源に接続された導電部材、前記接続部材の前記本体部、前記第２の基板、前記スペーサ部材、および前記第１の基板に順次貫通して、これらを締め付けて固定することを特徴とする接続装置。
【請求項６】
請求項１〜請求項５のいずれかに記載された接続装置を備えていることを特徴とする時計。
【発明の詳細な説明】
【技術分野】
【０００１】
この発明は、腕時計や携帯電話機、携帯情報端末機などの電子機器に用いられる接続装置およびそれを備えた時計に関する。
【背景技術】
【０００２】
例えば、腕時計においては、特許文献１に記載されているように、静電気による機能異常を防ぐために、腕時計ケース内の時計モジュールと金属製の裏蓋とを電気的に接続する接続装置を備えた構成のものが知られている。
【先行技術文献】
【特許文献】
【０００３】
【特許文献１】特開２００１−３１１７８５号公報
【０００４】
この種の接続装置は、時計モジュールの回路基板を押える金属製の回路支持板に板ばね部を形成し、この板ばね部を裏蓋に接触させることにより、時計モジュールと裏蓋とを電気的に接続するように構成されている。
【発明の概要】
【発明が解決しようとする課題】
【０００５】
このような腕時計の接続装置では、回路基板を押える回路支持板と裏蓋との間隔が大きく離れている場合、回路支持板に板ばね部を回路支持板と裏蓋との間隔よりも長く形成しなければならないため、裏蓋に対する板ばね部の接触が不安定になり易くなり、接続信頼性を確保することができないという問題がある。
【０００６】
この発明が解決しようとする課題は、接続信頼性の高い接続装置およびそれを備えた時計を提供することである。
【課題を解決するための手段】
【０００７】
この発明は、所定間隔で重なり合う状態で配置され、かつ対向面それぞれに電極が設けられた複数の基板と、前記複数の基板のいずれかに対して固定される本体部、および前記本体部に設けられ、かつ前記複数の基板間に配置されて前記電極それぞれに接触する複数の接触部を備えた接続部材と、前記接続部材の前記本体部に接触した状態で、電源に接続された導電部材と、前記複数の基板および前記接続部材の前記本体部を相互に固定するねじ部材と、を備え、前記複数の基板は、第１の基板と第２の基板とを備え、前記第１の基板と前記第２の基板との間にはスペーサ部材が配置され、前記スペーサ部材には前記複数の接触部が配置される開口部が設けられ、前記開口部に対応する箇所に位置する前記第１の基板と前記第２の基板との対向面それぞれには前記電極が設けられ、前記接続部材の前記本体部は、前記スペーサ部材に配置される本体取付部と、前記本体取付部から前記第２の基板と前記第１の基板との間に向けて延びる延出部と、前記延出部から前記第１の基板と前記第２の基板との間にこれらとほぼ平行に延び、かつ前記複数の接触部が設けられた保持部と、を備え、前記第２の基板の下面に配置された前記導電部材と前記本体取付部とを重ねた状態で、前記ねじ部材により共締めされ固定されていることを特徴とする接続装置である。
【発明の効果】
【０００８】
この発明によれば、固定部材によって複数の基板および接続部材を相互に固定することができるので、固定部材の固定力によって接続部材の複数の接触部を複数の基板それぞれに設けられた各電極に確実に押し付けて接触させることができる。これにより、接続信頼性を高めることができる。
【図面の簡単な説明】
【０００９】
【図１】この発明を腕時計に適用した一実施形態を示した拡大正面図である。
【図２】図１に示された腕時計の内部に組み込まれた時計モジュールを示した拡大正面図である。
【図３】図２に示された時計モジュールの拡大側面図である。
【図４】図２に示された時計モジュールの拡大裏面図である。
【図５】図２に示された時計モジュールのＡ−Ａ矢視における拡大断面図である。
【図６】図４に示された時計モジュールのＢ−Ｂ矢視における要部を示した拡大断面図である。
【図７】図６に示された接続装置の接続部材を上下反転させて示し、（ａ）はその拡大斜視図、（ｂ）はその拡大平面図、（ｃ）はその拡大側面図、（ｄ）はその拡大正面図である。
【図８】この発明の接続装置に用いられる接続部材の第１変形例を上下反転させて示し、（ａ）はその拡大斜視図、（ｂ）はその拡大平面図、（ｃ）はその拡大側面図、（ｄ）はその拡大正面図である。
【図９】この発明の接続装置に用いられる接続部材の第２変形例を上下反転させて示し、（ａ）はその拡大斜視図、（ｂ）はその拡大平面図、（ｃ）はその拡大側面図、（ｄ）はその拡大正面図である。
【発明を実施するための形態】
【００１０】
以下、図１〜図７を参照して、この発明を腕時計に適用した一実施形態について説明する。
この腕時計は、図１に示すように、腕時計ケース１を備えている。この腕時計ケース１の１２時側と６時側とには、時計バンド２が取り付けられている。この腕時計ケース１の２時側、３時側、４時側、８時側には、スイッチ部３がそれぞれ設けられている。
【００１１】
また、この腕時計ケース１の内部には、図２〜図５に示すように、時計モジュール４が設けられている。この時計モジュール４は、アナログブロック５と回路ブロック６とを備え、これらが上下に積層された構成になっている。アナログブロック５は、輪列機構を備えた時計ムーブメント（いずれも図示せず）を備え、その上面に文字板７（図３参照）が配置されるように構成されている。
【００１２】
すなわち、このアナログブロック５は、図１、図３および図５に示すように、時計ムーブメントにおける輪列機構の指針軸８ａが、文字板７の貫通孔７ａを通して文字板７の上方に突出し、この突出した指針軸８ａの上端部に、秒針、分針、時針などの指針８が取り付けられ、この指針８が文字板７の上方を運針することにより、図１に示すように、時刻を指示表示するように構成されている。
【００１３】
回路ブロック６は、図４および図５に示すように、釦型の電池９を搭載するスペーサ部材であるハウジング１０と、このハウジング１０の上面に配置された第１の回路基板１１と、ハウジング１０の下面に配置された第２の回路基板１２と、これらハウジング１０、第１の回路基板１１、および第２の回路基板１２をアナログブロック５の下側に組み付ける導電部材である地板１３と、を備えている。この場合、ハウジング１０には、電池９を収納する電池収納部１０ａが設けられている。
【００１４】
第１の回路基板１１は、図５に示すように、ハウジング１０の上面に配置された状態で、アナログブロック５の下面に配置され、この状態でアナログブロック５の時計ムーブメント（図示せず）と電気的に接続されるように構成されている。第２の回路基板１２は、ハウジング１０の電池収納部１０ａに対応する箇所を除いて、ハウジング１０の下面に配置されるよう構成されている。
【００１５】
すなわち、この第２の回路基板１２には、図４および図５に示すように、電池９をハウジング１０の電池収納部１０ａ内に収納させるための基板開口部１２ａがハウジング１０の電池収納部１０ａに対応して設けられている。この第２の回路基板１２の下面には、導電部材である金属製の地板１３が配置されている。
【００１６】
この地板１３には、図４および図５に示すように、電池９をハウジング１０の電池収納部１０ａ内に収納させるための地板開口部１３ａが第２の回路基板１２の基板開口部１２ａに対応して設けられている。この場合、電池９は、地板１３の地板開口部１３ａおよび第２の回路基板１２の基板開口部１２ａを通して、ハウジング１０の電池収納部１０ａ内に配置された状態で、電極板１４によって電池収納部１０ａ内に押え付けられて固定されるように構成されている。
【００１７】
また、地板１３の外周部には、図３〜図５に示すように、複数のフック部１５がアナログブロック５の外周面に向けて上方に突出して設けられている。これら複数のフック部１５それぞれは、図３に示すように、その上端部に矩形状の係止孔１５ａが設けられ、この係止孔１５ａにアナログブロック５の外周面に突出して設けられた突起部５ａが係合するように構成されている。
【００１８】
すなわち、これら複数のフック部１５は、図３および図５に示すように、下側から順に、地板１３、第２の回路基板１２、ハウジング１０、第１の回路基板１１、およびアナログブロック５が重ね合わされた際に、これらの外周面に沿って上側に延び、この延びた上端部の係止孔１５ａに、アナログブロック５の外周面に設けられた各突起部５ａが係合するように構成されている。
【００１９】
これにより、地板１３は、図３および図５に示すように、第２の回路基板１２、ハウジング１０、第１の回路基板１１、およびアナログブロック５が重ね合わされた状態で、第２の回路基板１２の下面に配置された際に、複数のフック部１５の各係止孔１５ａに、アナログブロック５の外周面に設けられた各突起部５ａが係合することにより、第２の回路基板１２、ハウジング１０、第１の回路基板１１、およびアナログブロック５を一体的に組み付けるように構成されている。
【００２０】
ところで、第１の回路基板１１と第２の回路基板１２とは、図４および図６に示すように、接続装置１６によって電気的に接続されるように構成されている。この接続装置１６は、図６に示すように、所定間隔で重なり合う状態で配置された第１の回路基板１１および第２の回路基板１２を電気的に接続する接続部材１７と、第１の回路基板１１、第２の回路基板１２、接続部材１７、および地板１３を相互に押し付けて固定する固定部材１８と、を備えている。
【００２１】
この場合、地板１３は、図４〜図６に示すように、第２の回路基板１２の下面に配置された状態で、電池９をハウジング１０の電池収納部１０ａ内に押し付ける電極板１４に接続されることにより、電池９と電気的に接続され、この状態で接続部材１７に接触して導通するように構成されている。これにより、第１の回路基板１１と第２の回路基板１２とは、地板１３と接続部材１７とによって電池９の電源が供給されるように構成されている。
【００２２】
また、第１の回路基板１１と第２の回路基板１２とは、図６に示すように、これらの間に配置されたスペーサ部材であるハウジング１０によって所定間隔（つまりハウジング１０の上下方向の厚みの長さ）で配置されている。このハウジング１０には、接続部材１７の一部、つまり後述する第１の接触部２１および第２の接触部２２が配置される接続開口部１９が設けられている。
【００２３】
これにより、第１の回路基板１１と第２の回路基板１２とは、図６に示すように、ハウジング１０の接続開口部１９に対応する領域内において互いに対面し、この対面した第１の回路基板１１の対向面である下面に第１電極１１ａが設けられていると共に、対面した第２の回路基板１２の対向面である上面に第２電極１２ｂが設けられている。
【００２４】
接続部材１７は、図６および図７に示すように、ハウジング１０に固定されて第２の回路基板１２の上側に配置される本体部２０と、この本体部２０に設けられて第１の回路基板１１の第１電極１１ａに接触する第１の接触部２１と、本体部２０に設けられて第２の回路基板１２の第２電極１２ｂに接触する第２の接触部２２と、を備え、これらが金属板で一体に形成されている。
【００２５】
すなわち、本体部２０は、図６および図７に示すように、第２の回路基板１２と並列な状態でハウジング１０の下面に配置されて地板１３が接触して導通する本体取付部２３と、この本体取付部２３から第２の回路基板１２に設けられた切欠き部１２ｃを通してその上側に延びる延出部２４と、この延出部２４から第２の回路基板１２と第１の回路基板１１との間にこれらとほぼ平行に延びる保持部２５と、を備えている。
【００２６】
この場合、第２の回路基板１２の切欠き部１２ｃは、図６に示すように、本体部２０の本体取付部２３に対応した状態で、第２の回路基板１２に設けられている。また、ハウジング１０の外周部には、本体取付部２３が配置される支持突起部２６が、第２の回路基板１２の切欠き部１２ｃ内に配置された状態で設けられている。この支持突起部２６は、その下端面が第２の回路基板１２の下面よりも本体部２０の本体取付部２３の厚み分だけ窪んだ状態で形成されている。
【００２７】
これにより、本体取付部２３は、図６および図７に示すように、ハウジング１０の支持突起部２６の下面に配置された際に、その下面が第２の回路基板１２の下面とほぼ同一平面になるよう構成されている。また、本体部２０の延出部２４は、ハウジング１０の支持突起部２６の内側面に沿って配置されることにより、その上端部が第２の回路基板１２の切欠き部１２ｃを通してハウジング１０の接続開口部１９内に突出するように構成されている。
【００２８】
また、保持部２５は、図６および図７に示すように、第１の回路基板１１と第２の回路基板１２とにほぼ平行な状態で、延出部２４の上端部からハウジング１０の接続開口部１９内に向けて延出されて配置されるように構成されている。この保持部２５の一側部（図７（ｂ）では下辺部）には、第１の接触部２１および第２の接触部２２が設けられている。
【００２９】
第１の接触部２１は、図６および図７に示すように、本体部２０の保持部２５の一側部（図７（ｂ）では下辺部）から斜め上側（図７（ｄ）では斜め下側）に向けて延び、この延びた上端部（図７（ｄ）では下端部）２１ａが第１の回路基板１１の第１電極１１ａに下側から弾力的に接触するように構成されている。
【００３０】
第２の接触部２２は、図６および図７に示すように、本体部２０の保持部２５の一側部（図７（ｂ）では下辺部）から斜め下側（図７（ｄ）では斜め上側）に向けて延び、この延びた下端部（図７（ｄ）では上端部）２２ａが第２の回路基板１２の第２電極１２ｂに上側から弾力的に接触するように構成されている。
【００３１】
一方、固定部材１８は、図６に示すように、地板１３、接続部材１７の本体取付部２３、第２の回路基板１２、ハウジング１０、および第１の回路基板１１をその順で下側から重ね合わせた状態で、これらを締め付けて固定するねじ部材である。この固定部材１８は、ボルト２７とナット２８とを備えている。ボルト２７は、ナット２８が螺合するねじ軸２７ａと、このねじ軸２７ａの一端部に設けられた頭部２７ｂと、を備えている。
【００３２】
この場合、ハウジング１０の支持突起部２６には、図６に示すように、ボルト２７のねじ軸２７ａが挿入する軸挿入孔２６ａが、上下に貫通して設けられている。また、接続部材１７の本体取付部２３には、ボルト２７のねじ軸２７ａが挿入する本体取付孔２３ａが、ハウジング１０の軸挿入孔２６ａと同一軸上で対応して設けられている。
【００３３】
この本体取付部２３の下面に配置される地板１３には、図６に示すように、ボルト２７のねじ軸２７ａが挿入する地板取付孔１３ｃが、本体取付部２３の本体取付孔２３ａと同一軸上で対応して設けられている。また、第１の回路基板１１には、ボルト２７のねじ軸２７ａが挿入する基板取付孔１１ｂが、ハウジング１０の支持突起部２６の軸挿入孔２６ａと同一軸上で対応して設けられている。
【００３４】
これにより、地板１３の地板取付孔１３ｃと接続部材１７の本体取付部２３の本体取付孔２３ａとハウジング１０の支持突起部２６の軸挿入孔２６ａと第１の回路基板１１の基板取付孔１１ｂとは、図６に示すように、その下側から順に、地板１３、接続部材１７の本体取付部２３、第２の回路基板１２、ハウジング１０、および第１の回路基板１１を重ね合わせた際に、同一軸上で対応するように構成されている。
【００３５】
このため、固定部材１８は、図６に示すように、地板１３、接続部材１７の本体取付部２３、ハウジング１０、および第１の回路基板１１を重ね合わせた状態で、ボルト２７のねじ軸２７ａを、地板１３の地板取付孔１３ｃ、接続部材１７の本体取付部２３の本体取付孔２３ａ、ハウジング１０の支持突起部２６の軸挿入孔２６ａ、第１の回路基板１１の基板取付孔１１ｂに順次挿入させて、アナログブロック５内に下側から突出させ、この突出したねじ軸２７ａがナット２８に螺合して締め付けられるように構成されている。
【００３６】
この場合、アナログブロック５には、図６に示すように、ナット２８が埋め込まれている。このナット２８は、その下面がアナログブロック５から下側に露出した状態で、第１の回路基板１１の基板取付孔１１ｂと同一軸上に対応して設けられている。このため、固定部材１８は、地板１３の地板取付孔１３ｃから挿入されて第１の回路基板１１の基板取付孔１１ｂの上方に突出したボルト２７のねじ軸２７ａが、アナログブロック５内のナット２８に螺合して締め付けられるように構成されている。
【００３７】
これにより、固定部材１８は、図６に示すように、第１の回路基板１１からアナログブロック５内に突出するボルト２７のねじ軸２７ａをナット２８に螺合させて締め付けた際に、ボルト２７の頭部２７ｂが地板１３を接続部材１７の本体部２０の本体取付部２３に押し付け、この本体取付部２３を第２の回路基板１２の切欠き部１２ｃ内に配置されたハウジング１０の支持突起部２６に押し付けるように構成されている。
【００３８】
また、この固定部材１８は、図６に示すように、第１の回路基板１１からアナログブロック５内に突出したボルト２７のねじ軸２７ａをナット２８に螺合させて締め付けた際に、ナット２８がアナログブロック５と共に第１の回路基板１１をハウジング１０の上面に押し付けるように構成されている。
【００３９】
これにより、接続部材１７は、図６に示すように、その本体部２０の本体取付部２３が固定部材１８によって地板１３とハウジング１０の支持突起部２６との間に挟まれて固定され、この状態で本体部２０の保持部２５に設けられた第１の接触部２１の上端部２１ａが第１の回路基板１１の第１電極１１ａに下側から押し付けられて弾力的に接触すると共に、本体部２０の保持部２５に設けられた第２の接触部２２の下端部２２ａが第２の回路基板１２の第２電極１２ｂに上側から押し付けられて弾力的に接触するように構成されている。
【００４０】
次に、このような腕時計における時計モジュール４の作用について説明する。
この時計モジュール４を組み立てる場合には、予め、回路ブロック６を組み立てる。このときには、まず、ハウジング１０の上面に第１の回路基板１１を配置し、ハウジング１０の下面に第２の回路基板１２を接続部材１７と共に配置する。
【００４１】
すなわち、第１の回路基板１１をハウジング１０の上面に配置する際には、第１の回路基板１１の基板取付孔１１ｂを、ハウジング１０の支持突起部２６の軸挿入孔２６ａに同一軸上で対応させると共に、第１の回路基板１１の第１電極１１ａをハウジング１０の接続開口部１９に対応させる。
【００４２】
また、ハウジング１０の下面に第２の回路基板１２を接続部材１７と共に配置する際には、まず、ハウジング１０の支持突起部２６の下面に接続部材１７の本体部２０の本体取付部２３を配置して、本体取付部２３の本体取付孔２３ａを支持突起部２６の軸挿入孔２６ａに同一軸上で対応させ、かつ本体部２０の延出部２４をハウジング１０の支持突起部２６の内側面に沿って上方に向けて配置させると共に、本体部２０の保持部２５をハウジング１０の接続開口部１９内に配置させる。
【００４３】
この状態で、第２の回路基板１２をハウジング１０の下面に配置させる。このときには、第２の回路基板１２の切欠き部１２ｃにハウジング１０の支持突起部２６を接続部材１７の本体部２０の延出部２４と共に配置して、第２の回路基板１２の第２電極１２ｂをハウジング１０の接続開口部１９に対応させる。また、このときには、第２の回路基板１２の基板開口部１２ａをハウジング１０の電池収納部１０ａに対応させる。
【００４４】
この状態では、ハウジング１０の接続開口部１９を挟んで第１の回路基板１１と第２の回路基板１２とが対面し、この第１の回路基板１１と第２の回路基板１２との間に、接続部材１７の保持部２５が第１の接触部２１および第２の接触部２２と共に配置される。このため、第１の接触部２１の上端部２１ａが第１の回路基板１１の第１電極１１ａに対応して弾力的に接触すると共に、第２の接触部２２の下端部２２ａが第２の回路基板１２の第２電極１２ｂに対応して弾力的に接触する。
【００４５】
この状態で、第２の回路基板１２の下面に地板１３を配置する。このときには、地板１３の地板開口部１３ａを第２の回路基板１２の基板開口部１２ａとハウジング１０の電池収納部１０ａとに対応させると共に、地板１３の地板取付孔１３ｃを接続部材１７の本体取付部２３の本体取付孔２３ａとハウジング１０の支持突起部２６の軸挿入孔２６ａとに同一軸上で対応させる。
【００４６】
また、このときには、地板１３の外周部に設けられた複数のフック部１５が、第２の回路基板１２、ハウジング１０、および第１の回路基板１１の各外周部を通して、その各上端部が第１の回路基板１１の上方に突出して配置される。これにより、回路ブロック６が組み立てられる。
【００４７】
そして、この回路ブロック６にアナログブロック５を組み付ける。このときには、予め、アナログブロック５に固定部材１８のナット２８をその下側に露出させた状態で埋め込む。この状態で、アナログブロック５を回路ブロック６上に配置する。このときには、アナログブロック５に埋め込まれたナット２８を回路ブロック６の第１の回路基板１１に設けられた基板取付孔１１ｂに同一軸上で対応させる。
【００４８】
この状態で、アナログブロック５を回路ブロック６の第１の回路基板１１上に配置する。このときには、地板１３の外周に設けられた複数のフック部１５がアナログブロック５の外周面に沿って上側に配置される。このため、複数のフック部１５それぞれは、その上端部の係止孔１５ａにアナログブロック５の外周部に設けられた突起部５ａが係合する。
【００４９】
これにより、地板１３およびその複数のフック部１５によって、第２の回路基板１２とハウジング１０と第１の回路基板１１とが重なり合うと共に、この第１の回路基板１１上にアナログブロック５が重なり合い、この状態でアナログブロック５と回路ブロック６とが一体的に組み付けられる。
【００５０】
そして、接続装置１６の固定部材１８によって、接続部材１７を固定する。このときには、固定部材１８のボルト２７のねじ軸２７ａを、回路ブロック６の下側から地板１３の地板取付孔１３ｃ、接続部材１７の本体取付部２３の本体取付孔２３ａ、ハウジング１０の支持突起部２６の軸挿入孔２６ａ、第１の回路基板１１の基板取付孔１１ｂを通して、アナログブロック５のナット２８に螺合させて締め付ける。
【００５１】
これにより、固定部材１８は、ボルト２７の頭部２７ｂが、地板１３を接続部材１７の本体部２０の本体取付部２３に押し付け、この本体取付部２３をハウジング１０の支持突起部２６に押し付けて固定すると共に、アナログブロック５のナット２８がアナログブロック５と共に第１の回路基板１１をハウジング１０の上面に押し付けて固定する。
【００５２】
このため、接続装置１６の接続部材１７は、固定部材１８によって本体部２０の本体取付部２３が地板１３とハウジング１０の支持突起部２６との間に挟まれて固定され、この状態で本体部２０の保持部２５に設けられた第１の接触部２１の上端部２１ａが第１の回路基板１１の第１電極１１ａに下側から押し付けられて弾力的に接触すると共に、第２の接触部２２の下端部２２ａが第２の回路基板１２の第２電極１２ｂに上側から押し付けられて弾力的に接触する。
【００５３】
これにより、接続装置１６が回路ブロック６に組み付けられる。この場合、接続装置１６は、第２の回路基板１２の下面に配置された地板１３が、電池９をハウジング１０の電池収納部１０ａ内に押し付ける電極板１４と電気的に接続されることにより、地板１３と電池９とが電気的に接続され、この地板１３が接続部材１７の本体部２０の本体取付部２３に接触して導通することにより、電池９と接続部材１７とが電気的に接続される。
【００５４】
このため、この接続装置１６は、接続部材１７の第１の接触部２１が第１の回路基板１１の第１電極１１ａに接触して導通し、第２の接触部２２が第２の回路基板１２の第２電極１２ｂに接触して導通していることにより、電池９の電源が第１の回路基板１１と第２の回路基板１２とに確実にかつ良好に供給される。
【００５５】
このように、この腕時計の時計モジュール４における接続装置１６によれば、所定間隔で重なり合う状態で配置されて、対向面それぞれに第１、第２の電極１１ａ、１２ｂが設けられた第１、第２の回路基板１１、１２と、第２の回路基板１２に対して固定される本体部２０、および第１の回路基板１１と第２の回路基板１２との間に配置されて第１、第２の電極１１ａ、１２ｂそれぞれに接触する第１、第２の接触部２１、２２を備えた接続部材１７と、第１の回路基板１１、第２の回路基板１２、および接続部材１７を相互に固定する固定部材１８と、を備えていることにより、接続信頼性を高めることができる。
【００５６】
すなわち、この時計モジュール４の接続装置１６では、固定部材１８によって第１の回路基板１１、第２の回路基板１２、および接続部材１７を相互に固定することができる。このため、固定部材１８の固定力によって、接続部材１７の第１の接触部２１を第１の回路基板１１の第１電極１１ａに確実に押し付けて接触させることができると共に、第２の接触部２２を第２の回路基板１２の第２電極１２ｂに確実に押し付けて接触させることができる。これにより、第１の回路基板１１と第２の回路基板１２との間隔が大きく離れていても、安定した接続状態を確保することができるので、接続信頼性を高めることができる。
【００５７】
また、この時計モジュール４の接続装置１６では、接続部材１７の本体部２０に接触した状態で、電源に接続された導電部材である金属製の地板１３を備えていることにより、この地板１３によって電源を接続部材１７の本体部２０に供給し、この本体部２０に設けられた第１の接触部２１と第２の接触部２２とによって第１の回路基板１１と第２の回路基板１２とに電源を確実にかつ良好に供給することができる。
【００５８】
すなわち、この接続装置１６では、電池９をハウジング１０の電池収納部１０ａ内に押し付けて固定する電極板１４に地板１３が電気的に接続されることにより、地板１３と電池９とを電気的に接続することができ、この地板１３が接続部材１７の本体部２０の本体取付部２３に接触して導通することにより、電池９と接続部材１７とを電気的に接続することができる。
【００５９】
このため、この接続装置１６では、接続部材１７の第１の接触部２１が第１の回路基板１１の第１電極１１ａに接触し、第２の接触部２２が第２の回路基板１２の第２電極１２ｂに接触していることにより、電池９の電源を第１の回路基板１１と第２の回路基板１２とに確実にかつ良好に供給することができる。
【００６０】
この場合、第１の回路基板１１と第２の回路基板１２との間には、スペーサ部材であるハウジング１０が配置され、このハウジング１０には第１の接触部２１と第２の接触部２２とが配置される接続開口部１９が設けられていることにより、接続部材１７の第１の接触部２１と第２の接触部２２とをハウジング１０の接続開口部１９に良好に配置させて第１の回路基板１１と第２の回路基板１２とに確実に対向させることができる。
【００６１】
また、このハウジング１０の接続開口部１９に対応する箇所に位置する第１の回路基板１１と第２の回路基板１２との対向面には、第１電極１１ａと第２電極１２ｂとが設けられていることにより、接続部材１７の第１の接触部２１と第２の接触部２２とをハウジング１０の接続開口部１９に配置させた際に、第１の接触部２１を第１の回路基板１１の第１電極１１ａに確実に対応させて接触させることができると共に、第２の接触部２２を第２の回路基板１２の第２電極１２ｂに確実に対応させて接触させることができる。
【００６２】
また、この接続装置１６では、接続部材１７の本体部２０が、第２の回路基板１２と並列な状態でハウジング１０に配置される本体取付部２３と、この本体取付部２３から第２の回路基板１２と第１の回路基板１１との間に向けて延びる延出部２４と、この延出部２４から第１の回路基板１１と第２の回路基板１２との間にこれらとほぼ平行に延び、かつ第１の接触部２１および第２の接触部２２が設けられた保持部２５と、を備えていることにより、接続部材１７を簡単にかつ確実に組み付けることができる。
【００６３】
すなわち、この接続装置１６では、ハウジング１０の支持突起部２６の下面に本体取付部２３を配置させて、延出部２４を支持突起部２６の内側面に配置させ、この状態でハウジング１０の支持突起部２６を第２の回路基板１２に設けられた切欠き部１２ｃに配置するだけで、第１の接触部２１および第２の接触部２２が設けられた保持部２５をハウジング１０の接続開口部１９内に配置させることができると共に、この状態で接続部材１７をハウジング１０に確実に取り付けることができる。
【００６４】
また、この接続装置１６では、接続部材１７が、スペーサ部材であるハウジング１０の上面に位置する第１の回路基板１１の下面に設けられた第１電極１１ａに弾接する第１の接触部２１と、ハウジング１０の下面に位置する第２の回路基板１２の上面に設けられた第２電極１２ｂに弾接する第２の接触部２２と、を備えていることにより、接続部材１７をハウジング１０に取り付けた際に、接続部材１７の第１の接触部２１を第１の回路基板１１の第１電極１１ａに正確に接触させることができると共に、接続部材１７の第２の接触部２２を第２の回路基板１２の第２電極１２ｂに正確に接触させることができる。
【００６５】
この場合、第１の接触部２１は、本体部２０の保持部２５の一側部から斜め上側に向けて延び、この延びた上端部２１ａが第１の回路基板１１の第１電極１１ａに下側から弾力的に接触するように構成されていることにより、接続部材１７をハウジング１０に取り付けた際に、第１の接触部２１を第１の回路基板１１の第１電極１１ａに正確にかつ確実に接触させることができる。
【００６６】
また、第２の接触部２２は、本体部２０の保持部２５の一側部から斜め下側に向けて延び、この延びた下端部２２ａが第２の回路基板１２の第２電極１２ｂに上側から弾力的に接触するように構成されていることにより、接続部材１７をハウジング１０に取り付けた際に、第２の接触部２２を第２の回路基板１２の第２電極１２ｂに正確にかつ確実に接触させることができる。
【００６７】
このため、第１の回路基板１１と第２の回路基板１２との間隔が大きく離れていても、第１の接触部２１を第１の回路基板１１の第１電極１１ａに正確にかつ確実に接触させることができる共に、第２の接触部２２を第２の回路基板１２の第２電極１２ｂに正確にかつ確実に接触させることができるので、より一層、安定した接続状態を確保して、接続信頼性を更に高めることができる。
【００６８】
さらに、この接続装置１６では、固定部材１８が、導電部材である地板１３、接続部材１７の本体部２０、第２の回路基板１２、スペーサ部材であるハウジング１０、および第１の回路基板１１に順次貫通して、これらを締め付けて固定するねじ部材であることにより、地板１３、接続部材１７、第２の回路基板１２、ハウジング１０、および第１の回路基板１１を重ね合わせた状態で、これらを確実に締め付けて固定することができる。
【００６９】
すなわち、この固定部材１８は、ねじ軸２７ａおよび頭部２７ｂを備えたボルト２７と、このボルト２７のねじ軸２７ａに螺合するナット２８と、を備え、第１の回路基板１１上に配置されるアナログブロック５にナット２８を埋め込んだ構成であるから、地板１３、接続部材１７、第２の回路基板１２、ハウジング１０、および第１の回路基板１１を重ね合わせた状態で、これらにボルト２７のねじ軸２７ａを貫通させてアナログブロック５にナット２８に螺合させることができ、この状態でボルト２７を確実にかつ強固に締め付けることができる。
【００７０】
このため、この固定部材１８では、第１の回路基板１１からアナログブロック５内に突出するボルト２７のねじ軸２７ａをナット２８に螺合させて締め付けた際に、ボルト２７の頭部２７ｂによって地板１３を接続部材１７の本体部２０の本体取付部２３に押し付けることができ、この本体取付部２３を第２の回路基板１２の切欠き部１２ｃ内に配置されたハウジング１０の支持突起部２６に押し付けることができるので、接続部材１７をハウジング１０に確実にかつ強固に固定することができる。
【００７１】
また、この固定部材１８では、第１の回路基板１１からアナログブロック５内に突出したボルト２７のねじ軸２７ａをナット２８に螺合させて締め付けた際に、ナット２８によって第１の回路基板１１をハウジング１０の上面に押し付けることができるので、第１の接触部２１の上端部２１ａを第１の回路基板１１の第１電極１１ａに下側から確実に接触させることができると共に、第２の接触部２２の下端部２２ａを第２の回路基板１２の第２電極１２ｂに上側から確実に接触させることができ、これにより接続状態を更に安定させることができ、より一層、接続信頼性を高めることができる。
【００７２】
なお、上述した一実施形態では、接続装置１６における接続部材１７の第１の接触部２１を本体部２０の保持部２５における一側部から斜め上側に傾斜させて形成し、第２の接触部２２を本体部２０の保持部２５における一側部から斜め下側に傾斜させて形成した場合について述べたが、この発明はこれに限らず、例えば、図８（ａ）〜図８（ｄ）に示す第１変形例のように構成しても良い。
【００７３】
すなわち、図８（ａ）〜図８（ｄ）に示された第１変形例の接続部材３０は、第１の接触部３１を接続部材３０の本体部２０の保持部２５における一側部から上方（図８（ｃ）では下方）に向けてほぼ直角に折り曲げ、この折り曲げられた上端部（図８（ｄ）では下端部）を更に山形状（図８（ｄ）では谷形状）に折り曲げて接触片３１ａを形成し、この接触片３１ａを第１の回路基板１１の第１電極１１ａに弾力的に接触させるように構成しても良い。
【００７４】
同様に、この第１変形例の接続部材３０は、第２の接触部３２を接続部材３０の本体部２０の保持部２５における一側部から下方（図８（ｃ）では上方）に向けてほぼ直角に折り曲げ、この折り曲げられた下端部（図８（ｄ）では上端部）を更に谷形状（図８（ｄ）では山形状）に折り曲げて接触片３２ａを形成し、この接触片３２ａを第２の回路基板１２の第２電極１２ｂに弾力的に接触させるように構成しても良い。このように構成しても、上述した一実施形態の接続部材１７と同様の作用効果がある。
【００７５】
また、この発明は、上述した実施形態の接続部材１７および第１変形例の接続部材３０に限らず、例えば、図９（ａ）〜図９（ｄ）に示す第２変形例のように構成しても良い。すなわち、この第２変形例の接続部材３５は、接続部材３５の本体部２０の保持部２５の先端部に、第１の接触部３６と第２の接触部３７とを、互いに異なる方向に向けて形成するように構成しても良い。
【００７６】
この場合には、例えば、第１の接触部３６を、本体部２０の保持部２５から右斜め上側（図９（ｄ）では左斜め下側）に向けて傾斜させて形成し、この傾斜した上端部（図９（ｄ）では下端部）３６ａを第１の回路基板１１の第１電極１１ａに弾力的に接触させるように構成すれば良い。
【００７７】
また、この接続部材３０では、第２の接触部３７を、本体部２０の保持部２５から左斜め下側（図９（ｄ）では左斜め上側）に向けて傾斜させて形成し、この傾斜した下端部（図９（ｄ）では上端部）３７ａを第２の回路基板１２の第２電極１２ｂに弾力的に接触させるように構成すれば良い。このように構成しても、上述した一実施形態の接続部材１７と同様の作用効果がある。
【００７８】
さらに、上述した一実施形態およびその各変形例では、腕時計に適用した場合について述べたが、この発明は必ずしも腕時計である必要はなく、例えばトラベルウオッチ、目覚まし時計、置き時計、掛け時計などの各種の時計に適用することができる。また、この発明は、必ずしも時計である必要はなく、例えば携帯電話機、携帯情報端末機などの電子機器にも広く適用することができる。
【００７９】
以上、この発明の一実施形態について説明したが、この発明は、これに限られるものではなく、特許請求の範囲に記載された発明とその均等の範囲を含むものである。
以下に、本願の特許請求の範囲に記載された発明を付記する。
【００８０】
（付記）
請求項１に記載の発明は、所定間隔で重なり合う状態で配置され、かつ対向面それぞれに電極が設けられた複数の基板と、前記複数の基板のいずれかに対して固定される本体部、および前記本体部に設けられ、かつ前記複数の基板間に配置されて前記電極それぞれに接触する複数の接触部を備えた接続部材と、前記複数の基板および前記接続部材の前記本体部を相互に固定する固定部材と、を備えていることを特徴とする接続装置である。
【００８１】
請求項２に記載の発明は、請求項１に記載の接続装置において、前記接続部材の前記本体部に接触した状態で、電源に接続された導電部材を備えていることを特徴とする接続装置である。
【００８２】
請求項３に記載の発明は、請求項１または請求項２に記載の接続装置において、前記複数の基板は、第１の基板と第２の基板とを備え、前記第１の基板と前記第２の基板との間にはスペーサ部材が配置され、前記スペーサ部材には前記複数の接触部が配置される開口部が設けられ、前記開口部に対応する箇所に位置する前記第１の基板と前記第２の基板との対向面それぞれには前記電極が設けられていることを特徴とする接続装置である。
【００８３】
請求項４に記載の発明は、請求項３に記載の接続装置において、前記接続部材の前記本体部は、前記スペーサ部材に配置される本体取付部と、前記本体取付部から前記第２の基板と前記第１の基板との間に向けて延びる延出部と、前記延出部から前記第１の基板と前記第２の基板との間にこれらとほぼ平行に延び、かつ前記複数の接触部が設けられた保持部と、を備えていることを特徴とする接続装置である。
【００８４】
請求項５に記載の発明は、請求項４に記載の接続装置において、前記複数の接触部は、前記本体部の前記保持部に設けられて、前記スペーサ部材の上面に位置する前記第１の基板の下面に設けられた第１の電極に弾接する第１の接触部と、前記本体部の前記保持部に設けられて、前記スペーサ部材の下面に位置する前記第２の基板の上面に設けられた第２の電極に弾接する第２の接触部と、を備えていることを特徴とする接続装置である。
【００８５】
請求項６に記載の発明は、請求項５に記載の接続装置において、前記第１の接触部は、前記本体部の前記保持部における一側部から上方に形成し、前記第２の接触部は、前記本体部の前記保持部における前記一側部から下方に形成されていることを特徴とする接続装置である。
【００８６】
請求項７に記載の発明は、請求項３〜請求項６のいずれかに記載の接続装置において、前記固定部材は、電源に接続された導電部材、前記接続部材の前記本体部、前記第２の基板、前記スペーサ部材、および前記第１の基板に順次貫通して、これらを締め付けて固定するねじ部材であることを特徴とする接続装置である。
【００８７】
請求項８に記載の発明は、請求項１〜請求項７のいずれかに記載された接続装置を備えていることを特徴とする時計である。
【符号の説明】
【００８８】
１  腕時計ケース
４  時計モジュール
５  アナログブロック
５ａ  突起部
６  回路ブロック
９  電池
１０  ハウジング
１０ａ  電池収納部
１１  第１の回路基板
１１ａ  第１電極
１２  第２の回路基板
１２ａ  基板開口部
１２ｂ  第２電極
１２ｃ  切欠き部
１３  地板
１３ａ  地板開口部
１５  フック部
１６  接続装置
１７、３０、３５  接続部材
１８  固定部材
１９  接続開口部
２０  本体部
２１、３１、３６  第１の接触部
２２、３２、３７  第２の接触部
２３  本体取付部
２４  延出部
２５  保持部
２６  支持突起部
２６ａ  軸挿入孔
２７  ボルト
２８  ナット
【図１】
0006358569.tif 000002
【図２】
0006358569.tif 000003
【図３】
0006358569.tif 000004
【図４】
0006358569.tif 000005
【図５】
0006358569.tif 000006
【図６】
0006358569.tif 000007
【図７】
0006358569.tif 000008
【図８】
0006358569.tif 000009
【図９】
0006358569.tif 000010